(57)【要約】【課題】  簡易な構成でピント調節が迅速に行われる露光装置および画像形成装置を提供する。【解決手段】  走査光学系と、走査光学系によって感光面に導かれる各光を感光面上に集光させる、光の集光位置を光の進行方向に調整する機能も有した集光部と、走査光学系による走査に伴って移動する光の移動範囲の一部から光源が互いに異なる複数の光が導かれて照射されて複数の光を個別に受光する、各光の受光量を検知する複数の受光部分を有する、該複数の受光部分上を該複数の光が該走査に伴って通過する、該複数の光のうちの一部の光については、該受光部分までの光路長が前記感光面までの光路長よりも長く、他の一部の光については、受光部分までの光路長が感光面までの光路長よりも短い受光器と、受光器で検知された受光量に基づいて集光部による光の集光位置を、集光部の機能を使用して調整する集光位置調整部とを備えた。【選択図】        図２
2011203524.tif 000002
【特許請求の範囲】
【請求項１】
各々が光を出射する複数の光源と、
光の照射を受けることで画像が描かれる感光面を有する、少なくとも該感光面が、該感光面に沿う第１方向に移動する感光体が有する該感光面に、前記複数の光源から出射された各光を導いて、該各光で該感光面を、前記第１方向に交わる第２方向に走査する、光源が互いに異なる複数の光を該感光面上で該第１方向に相互に異なる位置に導く走査光学系と、
前記複数の光源から出射されて前記走査光学系によって前記感光面に導かれる各光を該感光面上に集光させる、光の集光位置を光の進行方向に調整する機能も有した集光部と、
前記走査光学系による走査に伴って移動する光の移動範囲の一部から光源が互いに異なる複数の光が導かれて照射されて該複数の光を個別に受光する、各光の受光量を検知する複数の受光部分を有する、該複数の受光部分上を該複数の光が該走査に伴って通過する、該複数の光のうちの一部の光については、該受光部分までの光路長が前記感光面までの光路長よりも長く、該複数の光のうちの他の一部の光については、該受光部分までの光路長が前記感光面までの光路長よりも短い受光器と、
前記受光器が有する複数の受光部分それぞれで検知された受光量に基づいて前記集光部による光の集光位置を、該集光部の機能を使用して調整する集光位置調整部とを備えたことを特徴とする露光装置。
【請求項２】
前記走査光学系による走査に伴って移動する光の移動範囲の一端に配備され、該一端に達した光を、該走査で光が移動する移動方向と該光が進行してきた進行方向との双方に対して交わる導光方向へと導く導光部を備え、
前記受光器が、前記導光部から前記導光方向へと向かった先に配備されたものであることを特徴とする請求項１記載の露光装置。
【請求項３】
前記受光器が、前記受光部分を３つ以上有して、光源が互いに異なる３つ以上の光を個別に受光する、該複数の光のうちの第１の光については、該受光部分までの光路長が前記感光面までの光路長に等しく、該複数の光のうちの第２の光については、該受光部分までの光路長が前記感光面までの光路長よりも長く、該複数の光のうちの第３の光については、該受光部分までの光路長が前記感光面までの光路長よりも短いものであることを特徴とする請求項１または２記載の露光装置。
【請求項４】
各々が光を出射する複数の光源と、
光の照射を受けることで画像が描かれる感光面を有する、少なくとも該感光面が、該感光面に沿う第１方向に移動する感光体と、
前記感光体が有する前記感光面に、前記複数の光源から出射された各光を導いて、該各光で該感光面を、前記第１方向に交わる第２方向に走査する、光源が互いに異なる複数の光を該感光面上で該第１方向に相互に異なる位置に導く走査光学系と、
前記複数の光源から出射されて前記走査光学系によって前記感光面に導かれる各光を該感光面上に集光させる、光の集光位置を光の進行方向に調整する機能も有した集光部と、
前記走査光学系による走査に伴って移動する光の移動範囲の一部から光源が互いに異なる複数の光が導かれて照射されて該複数の光を個別に受光する、各光の受光量を検知する複数の受光部分を有する、該複数の受光部分上を該複数の光が該走査に伴って通過する、該複数の光のうちの一部の光については、該受光部分までの光路長が前記感光面までの光路長よりも長く、該複数の光のうちの他の一部の光については、該受光部分までの光路長が前記感光面までの光路長よりも短い受光器と、
前記受光器が有する複数の受光部分それぞれで検知された受光量に基づいて前記集光部による光の集光位置を、該集光部の機能を使用して調整する集光位置調整部と、
前記感光体の感光面に描かれた画像上に、該画像と同じ画像をトナーで形成するトナー画像形成部と、
前記トナー画像形成部によって形成されたトナーの画像を記録媒体上に転写して定着させる転写定着部とを備えたことを特徴とする画像形成装置。
【発明の詳細な説明】
【技術分野】
【０００１】
本発明は、露光装置および画像形成装置に関する。
【背景技術】
【０００２】
従来より、電子写真方式の画像形成装置には、高画質確保のためにレーザダイオードアレイを露光源とし、このレーザダイオードからの光ビームを開口数の大きな光学系で絞って使用するものが知られている（例えば、特許文献１）。
【先行技術文献】
【特許文献】
【０００３】
【特許文献１】特開平６−２３５８７２号公報
【発明の概要】
【発明が解決しようとする課題】
【０００４】
本発明は、簡易な構成でピント調節が迅速に行われる露光装置および画像形成装置を提供することを目的とする。
【課題を解決するための手段】
【０００５】
請求項１に係る露光装置は、
各々が光を出射する複数の光源と、
光の照射を受けることで画像が描かれる感光面を有する、少なくともこの感光面が、この感光面に沿う第１方向に移動する感光体が有するこの感光面に、上記複数の光源から出射された各光を導いて、この各光でこの感光面を、上記第１方向に交わる第２方向に走査する、光源が互いに異なる複数の光をこの感光面上でこの第１方向に相互に異なる位置に導く走査光学系と、
上記複数の光源から出射されて上記走査光学系によって上記感光面に導かれる各光をこの感光面上に集光させる、光の集光位置を光の進行方向に調整する機能も有した集光部と、
上記走査光学系による走査に伴って移動する光の移動範囲の一部から光源が互いに異なる複数の光が導かれて照射されてこの複数の光を個別に受光する、各光の受光量を検知する複数の受光部分を有する、この複数の受光部分上をこの複数の光がこの走査に伴って通過する、この複数の光のうちの一部の光については、この受光部分までの光路長が上記感光面までの光路長よりも長く、この複数の光のうちの他の一部の光については、この受光部分までの光路長が上記感光面までの光路長よりも短い受光器と、
上記受光器が有する複数の受光部分それぞれで検知された受光量に基づいて上記集光部による光の集光位置を、この集光部の機能を使用して調整する集光位置調整部とを備えたことを特徴とする。
【０００６】
請求項２に係る露光装置は、
上記走査光学系による走査に伴って移動する光の移動範囲の一端に配備され、この一端に達した光を、この走査で光が移動する移動方向とこの光が進行してきた進行方向との双方に対して交わる導光方向へと導く導光部を備え、
上記受光器が、上記導光部から上記導光方向へと向かった先に配備されたものであることを特徴とする。
【０００７】
請求項３に係る露光装置は、
上記受光器が、上記受光部分を３つ以上有して、光源が互いに異なる３つ以上の光を個別に受光する、この複数の光のうちの第１の光については、この受光部分までの光路長が上記感光面までの光路長に等しく、この複数の光のうちの第２の光については、この受光部分までの光路長が上記感光面までの光路長よりも長く、この複数の光のうちの第３の光については、この受光部分までの光路長が上記感光面までの光路長よりも短いものであることを特徴とする請求項１または２記載の露光装置。
【０００８】
請求項４に係る画像形成装置は、
各々が光を出射する複数の光源と、
光の照射を受けることで画像が描かれる感光面を有する、少なくともこの感光面が、この感光面に沿う第１方向に移動する感光体と、
上記感光体が有する上記感光面に、上記複数の光源から出射された各光を導いて、この各光でこの感光面を、上記第１方向に交わる第２方向に走査する、光源が互いに異なる複数の光をこの感光面上でこの第１方向に相互に異なる位置に導く走査光学系と、
上記複数の光源から出射されて上記走査光学系によって上記感光面に導かれる各光をこの感光面上に集光させる、光の集光位置を光の進行方向に調整する機能も有した集光部と、
上記走査光学系による走査に伴って移動する光の移動範囲の一部から光源が互いに異なる複数の光が導かれて照射されてこの複数の光を個別に受光する、各光の受光量を検知する複数の受光部分を有する、この複数の受光部分上をこの複数の光がこの走査に伴って通過する、この複数の光のうちの一部の光については、この受光部分までの光路長が上記感光面までの光路長よりも長く、この複数の光のうちの他の一部の光については、この受光部分までの光路長が上記感光面までの光路長よりも短い受光器と、
上記受光器が有する複数の受光部分それぞれで検知された受光量に基づいて上記集光部による光の集光位置を、この集光部の機能を使用して調整する集光位置調整部と、
上記感光体の感光面に描かれた画像上に、この画像と同じ画像をトナーで形成するトナー画像形成部と、
上記トナー画像形成部によって形成されたトナーの画像を記録媒体上に転写して定着させる転写定着部とを備えたことを特徴とする。
【発明の効果】
【０００９】
請求項１に係る露光装置によれば、簡易な構成でピント調節を迅速に行うことができる。
【００１０】
請求項２に係る露光装置によれば、装置内部の空間的な制約に対処することができる。
【００１１】
請求項３に係る露光装置によれば、ピント調節による合焦を直接に確認できる。
【００１２】
請求項４に係る画像形成装置によれば、簡易な構成でピント調節を迅速に行うことができる。
【図面の簡単な説明】
【００１３】
【図１】画像形成装置の概略構成図である。
【図２】レーザ露光器の概略構成図である。
【図３】シリンダミラー等を図２に示される矢印Ｘの向きに見た状態を示す図である。
【図４】反射ミラーと合焦検知センサの位置関係を示す概略図である。
【図５】レーザ露光光の集光状態を示す図である。
【図６】レーザ露光光の集光状態を示す図である。
【図７】フォトダイオードで検知される光強度を示す図である。
【図８】工場出荷時にセンサ面上で合焦していたレーザ光が装置内の温度によってアウトフォーカスになった場合の、センサ面上の各エリアで検知された光強度の変化を示す図である。
【図９】工場出荷時にセンサ面上で合焦していたレーザ露光光が装置内に温度によってインフォーカスになった場合の、センサ面上の各エリアで検知された光強度の変化を示す図である。
【発明を実施するための形態】
【００１４】
以下、本発明の画像形成装置の実施形態について説明する。
【００１５】
図１は、画像形成装置の概略構成図である。
【００１６】
図１に示される画像形成装置１００は、矢印Ａ方向に回転する感光体ロール１０、矢印Ｂ方向に回転しながら感光体ロール１０に接触して感光体ロール１０の表面に所定の電荷を付与する帯電ロール１２、所定の電荷が付与された感光体ロール１０の表面に画像の基となる静電潜像を形成するためのレーザ露光光を照射するレーザ露光器１、レーザ露光器１によって形成された静電潜像を、トナーと磁性キャリアが含まれた現像剤中のトナーで現像する現像器１３、現像器１３によるトナー現像により形成されたトナー像を、給紙カセット１９から搬送経路Ｒに沿って搬送されてくる記録用紙に、矢印Ｄ方向に回転することで転写させる、発泡ウレタン製の転写ロール１４、トナー像が転写された後に感光体ロール上に残留する残留物を掻き落とすクリーニングブレード１５、搬送経路Ｒに沿って記録用紙を搬送する搬送ロール群１８、および、トナー像が転写された記録用紙を加熱および加圧してトナー像を記録用紙に定着する定着器１６を備えている。
【００１７】
現像器１３は、内部に矢印ｃ方向に回転する現像ロール１３１を保持しているとともに、トナーと磁性キャリアとを含む現像剤を収容している。磁性キャリアは、トナーとの摩擦によりトナーを摩擦帯電させる電荷付与粒子であり磁性粒子でもある。この現像器１３では、内部に収容している現像剤を攪拌し、この攪拌によりトナーと磁性キャリアとを摩擦させている。この摩擦により、トナーはマイナス極性に帯電し、磁性キャリアはプラスに帯電する。このため、現像器１３では、トナーと磁性キャリアとは電気的に吸着しあって渾然一体になっている。現像ロール１３１は、感光体ロール１０に対向して回転しながら、現像剤を感光体ロール１０との間の領域に搬送する。
【００１８】
また、図１に示される画像形成装置１００には、詳しくは後述するが、外部から受信した画像信号に基づいてレーザ露光器１から発光されるレーザ露光光の発光を制御する制御部２００が備えられている。
【００１９】
ここで、図１に示される画像形成装置１００における画像形成の動作の流れについて簡単に説明する。
【００２０】
まず、矢印Ａ方向に回転する感光体ロール１０には、この感光体ロール１０の表面に接触して回転する帯電ロール１２により背景電位が付与される。次に、外部から送信されて来た画像信号に応じてレーザ露光器１で生成されたレーザ露光光が、背景電位が付与された感光体ロール１０の表面に照射されて感光体ロール１０の表面が除電されると、その除電された部分の電位が背景電位に対する像電位となる。これら背景電位と像電位とにより、感光体ロール１０の表面には静電的な潜像が形成される。その潜像は現像器１３によりトナーで現像されて感光体ロール１０上にトナー像が形成される。そのトナー像は、搬送経路Ｒに沿って搬送されてきた用紙上に転写ロール１４によって転写される。用紙上に転写されたトナー像は、定着器１６により用紙上に加圧および定着される。以上が、画像形成装置１００における画像形成の流れと各部の動作の簡単な説明である。
【００２１】
図２は、レーザ露光器の概略構成図である。
【００２２】
図２に示されるレーザ露光器１は、半導体レーザアレイ３０と、焦点調整機構２０と、この焦点調節機構２０に置かれたコリメートレンズ２と、ハーフミラー３と、光量モニタ４と、第１および第２面倒れ補正光学系５１、５２と、ポリゴンミラー６と、fθレンズ７と、シリンダミラー８とを有している。尚、以下では、感光体ロール１０の回転軸が延びる方向を主走査方向と称し、感光体ロールが回転する向きである矢印Ａの方向を副走査方向と称す。
【００２３】
半導体レーザアレイ３０は、正面から見ると縦方向（３列）にも横方向（４列）にも重複しないように２次元的に配列された１２個の半導体素子からなり、半導体レーザアレイ３０から出射されたレーザ光それぞれは発散光であり、これらは、コリメートレンズ２を通過して平行光となる。レーザ光量は、ハーフミラー３を介した光量モニタ４により一定光量に制御される。平行光となったレーザ光は、第１および第２面倒れ補正光学系５１、５２によりあおりが調整され、fθレンズ７により主走査方向に集光され、さらに、シリンダミラー８により副走査方向に集光されて収束光となって感光体ロール１０上の、副操作方向に並ぶ１２画素でそれぞれ結像される。この収束光は、矢印の向きに回転するポリゴンミラー６によって、主走査方向について感光体ロール１０よりも長い範囲（図３参照）を走査する走査光でもある。
【００２４】
また、この画像形成装置１００には、主走査方向に沿って走査するレーザ露光光の走査範囲内の一端に配備され、この一端に達したレーザ露光光を副走査方向へと反射する反射ミラー９と、この反射ミラー９に反射されたレーザ露光光のうちの一部を受光する合焦検知センサ１１とが備えられている。半導体レーザアレイ３０が、本発明の光源の一例に相当し、第１および第２面倒れ補正光学系５１、５２とポリゴンミラー６とを併せたものが、本発明にいう走査光学系の一例に相当する。また、コリメートレンズ２とｆθレンズ７とシリンダミラー８と焦点調節機構２０とを併せたものが、本発明にいう集光部の一例に相当し、合焦検知センサ１１が、本発明にいう受光器の一例に相当する。さらに、制御部２００が、本発明にいう集光位置制御部の一例に相当し、反射ミラー９が、本発明にいう導光部の一例に相当する。
【００２５】
ここで、図３は、シリンダミラー等を図２に示される矢印Ｘの向きに見た状態を示す図である。
【００２６】
この画像形成装置１００では、画像形成動作中に定期的にピント調節を行う。これは、詳しくは後述するが、感光体ロール１０の幅に相当する画像形成用エリアに加え、画像形成用エリアよりも外側に設けられたピント調節用エリアを有しているシリンダミラー８が、ピント調節用エリアを走査したレーザ露光光を、図３に示される反射ミラー９に向かわせることで行われている。尚、画像形成用エリア上を走査するレーザ露光光は、画像信号に基づく点滅光であるが、ピント調節用エリアを走査するレーザ露光光は、画像信号とは無関係の一定光である。
【００２７】
図４は、反射ミラーと合焦検知センサの位置関係を示す概略図である。
【００２８】
図４には、図２に示される反射ミラー９と、合焦検知センサ１１のセンサ面１１１とを図３に示される矢印Ｙの向きに見た状態が示されている。
【００２９】
図４には、半導体レーザアレイ３０の各位置から出射されたレーザ露光光のうちの、合焦検知センサ１１のセンサ面１１１に設けられた３つの受光エリアａ、ｂ、ｃによって受光される３つのレーザ光１００ａ、１００ｂ、１００ｃのみが代表的に示されている。
【００３０】
これら３つのレーザ光１００ａ、１００ｂ、１００ｃは、反射ミラー９が存在しなければ、感光体ロール上で副走査方向に並ぶと共に合焦する。
図４にに示されるセンサ面１１１は、反射ミラー９から感光体ロール１０の表面までの距離が距離Ｌのレーザ光１００ａについては、反射ミラー９からセンサ面１１１までの距離が反射ミラー９から感光体ロール１０の表面までの距離と同じ距離Ｌ、反射ミラー９から感光体ロール１０の表面までの距離が距離Ｍのレーザ光１００ｂについては、反射ミラー９からセンサ面１１１までの距離が反射ミラー９から感光体ロール１０の表面までの距離よりも長い距離Ｍ’、反射ミラー９から感光体ロール１０の表面までの距離が距離Ｎのレーザ光１００ｃについては、反射ミラー９からセンサ面１１１までの距離が反射ミラー９から感光体ロール１０の表面までの距離よりも短い距離Ｎ’となるように反射ミラー９に対して斜めに相対している。
【００３１】
画像形成装置１００は、赤色の半導体レーザアレイ３０を使用している関係上、焦点深度が浅く、装置内の温度によってはピントがずれやすい。そこで、この画像形成装置１００では、半導体レーザアレイ３０から出射されたレーザ露光光を、図４に示される反射ミラー９を介して合焦検知センサ１１まで導くという簡単な構成で、以下に説明するように迅速なピント調整を実現している。
【００３２】
図５は、レーザ露光光の集光状態を示す図である。
【００３３】
図５には、図４に示される３つのレーザ光１００ａ、１００ｂ、１００ｃの、合焦検知センサ１１のセンサ面１１１における集光状態が詳細に示されている。尚、前述したように、各レーザ光は、図５において点線で示される感光体ロール１０の表面上に焦点Ｓが存在する。
これら３つのレーザ光のうちの中段のレーザ光１００ａのみがセンサ面１１１で合焦している様子が示されている。また、３つのレーザ露光光１００ａ、１００ｂ、１００ｃのうちの上段のレーザ露光光１００ｂがセンサ面１１１ではアウトフォーカスとなり、下段のレーザ露光光１００ｃがセンサ面１１１ではインフォーカスとなっている様子が示されている。
【００３４】
図６は、レーザ露光光の集光状態を示す図である。
【００３５】
図６には、センサ面１１１が受光フォトダイオードアレイの幅がビーム走査方向に一定である様子が示されている。
【００３６】
また、図６には、副走査方向に並ぶと共に、図６における左から右にかけて矢印で示される主走査方向に沿って走査する３つのレーザ光１００ｂ、１００ａ、１００ｃが受光エリア窓１１２ａを通過する際のビームスポットが示されている。３つのレーザ光１００ｂ、１００ａ、１００ｃのうちの中段のレーザ露光光１００ａは、センサ面１１１で合焦していることから、図６に示されるスポット径は、上段と下段に示されるスポット径に比べて小さくなっている。
【００３７】
図７は、合焦検知センサで検出される光強度を示す図である。
【００３８】
図７には、受光エリア窓１１２ａを経て、センサ面１１１の受光エリアａ、ｂ、ｃそれぞれに到達した３つのレーザ光１００ａ、１００ｂ、１００ｃの各時刻（横軸）における受光強度（縦軸）が示されている。尚、以下に示す図７から図９の上段から下段には、図６の上段から下段に示される受光エリアｂ、a、ｃでの各時刻における受光強度がそれぞれ示されている。また、これら３つのレーザ光１００ａ、１００ｂ、１００ｃは、同時には通過しないものの各エリア毎に受光エリア窓１１２ａの中心を通過した時刻を時刻ｔ０としている。
【００３９】
３つのレーザ光１００ａ、１００ｂ、１００ｃのうち、センサ面１１１の受光エリアｂでアウトフォーカスのレーザ光１００ｂとセンサ面１１１の受光エリアｃでインフォーカスのレーザ光１００ｃのスポット径は、センサ面１１１の受光エリアａで合焦のレーザ光１００ａのスポット径に比べて大きい。このため、図７に示されるように、アウトフォーカスのレーザ光１００ｂとインフォーカスのレーザ光１００ｃについては、各レーザ光のビームスポットの中心が受光エリア窓１１２ａの中央を通過する時刻ｔ０のかなり手前から、センサ面上の対応する受光エリアｂ、ｃに光が到達し始めている。一方、センサ面１１１で合焦しているレーザ光１００ａの光が受光エリアａで検出され始めるのは、これらアウトフォーカスのレーザ光１００ｂおよびインフォーカスのレーザ光１００ｃに比べて時刻ｔ０にかなり近づいてからである。
【００４０】
また、図７に示されるように、各レーザ光のスポットの中心が受光エリア窓１１２ａの中心を通過する時刻ｔ０においてセンサ面１１１の各エリアａ、ｂ、ｃで検出される最大光強度については、センサ面上ではアウトフォーカスの上段のレーザ光１００ｂおよびインフォーカスの下段のレーザ光１００ｃに比べて、センサ面で合焦している中段のレーザ光１００ａの方がスポット系が小さい分だけ強い。尚、この画像形成装置１は、３つのレーザ光１００ａ、１００ｂ、１００ｃのうちのレーザ光１００ａがセンサ面１１１の受光エリアａ上で合焦するように工場出荷段階で調整が行われ、その際の最大強度と、受光エリアｂにおける受光強度と受光エリアｃにおける最大受光強度の大小関係（ここでは、同一）が不図示のメモリに記憶されている。３つのレーザ光１００ａ、１００ｃ、１００ｂが、それぞれ本発明にいう第１の光、第２の光、第３の光の一例に相当する。
【００４１】
図８は、工場出荷時にセンサ面上で合焦していたレーザ光が装置内の温度によってアウトフォーカスになった場合の、センサ面上の各エリアで検出された光強度の変化を示す図である。
【００４２】
センサ面上で合焦状態にあった中段に示されるレーザ光１００ａがアウトフォーカスになることで、レーザ露光光１００ａのスポット径は大きくなり、元々インフォーカスであった下段に示されるレーザ光１００ｃのスポット径は小さくなる。また、元々アウトフォーカスであった上段に示されるレーザ露光光１００ｂのスポット径はさらに大きくなる。
【００４３】
その結果、工場出荷時には、下段の受光センサｃで検出される最大光強度と上段の受光センサａで検出される最大光強度とは同じであったのが、図８に示されるように、下段で検出された最大光強度が上段で検出された最大光強度よりも大きくなった場合は、アウトフォーカスに変化したと判断し、インフォーカス側へ焦点調整機構２０を移動させてピントのズレを修正する。焦点調整機構２０の移動は、センサ面１１１の受光エリアａで検出される最大光強度がメモリに記憶されている値とほぼ同じ値になるまで続けられる。
【００４４】
一方、図９は、工場出荷時にセンサ面上で合焦していたレーザ露光光が装置内に温度によってインフォーカスになった場合の、センサ面上の各エリアで検出された光強度の変化を示す図である。
【００４５】
センサ面上で合焦状態にあった中段に示されるレーザ光１００ａがインフォーカスになることで、レーザ光１００ａのスポット径も大きくなり、元々インフォーカスであった下段に示されるレーザ光１００ｃのスポット径はより大きくなる。また、元々アウトフォーカスであった上段に示されるレーザ光１００ｂのスポット径は小さくなる。
【００４６】
その結果、工場出荷時には下段の受光センサｃで検出される最大光強度と上段の受光センサａで検出される最大光強度とは同じであったのが、図９に示されるように、上段で検出された最大光強度が下段で検出された最大光強度よりも大きくなった場合は、インフォーカスに変化したと判断し、アウトフォーカス側へ焦点調整機構２０を移動させてピントのズレを修正する。焦点調整機構２０の移動は、上段での検出光強度及び下段での検出光強度に対し、中段での検出光強度が大きく、上段と下段の検出光強度の比が、所定の割合以内（例えば、０．８〜１．２）に入るまで続けられる。
【００４７】
尚、以上の実施形態では、本発明いう複数の光の一例として３つのレーザ光を例に挙げて説明したが、本発明にいう複数の光を、合焦検知センサ１１１上においてインフォーカスのレーザ露光光とアウトフォーカスのレーザ露光光との２つのレーザ露光光としてもよい。
【００４８】
また、以上に説明した実施形態では、反射ミラー９を介してレーザ露光光を合焦検知センサ１１１に導く例を挙げて説明したが、本発明では、合焦検知センサ１１１上においてインフォーカスとなるレーザ露光光とアウトフォーカスとなるレーザ露光光との２つのレーザ露光光が合焦検知センサ１１１上に到達すればよく、設計上の制約がなければ、必ずしも反射ミラー９を介する必要はなく、合焦検知センサ１１１上で直接に受光してもよい。
【符号の説明】
【００４９】
１  レーザ露光器
２  コリメートレンズ
２０  焦点調節機構
２００  制御部
３  ハーフミラー
３０  半導体レーザアレイ
４  光量モニタ
５１  第１面倒れ補正光学系
５２  第２面倒れ補正光学系
６  ポリゴンミラー
７  fθレンズ
８  シリンダミラー
９  反射ミラー
１０  感光体ロール
１１  合焦検知センサ
１００  画像形成装置
１２  帯電ロール
１３  現像器
１３１  現像ロール
１４  転写ロール
１６  定着器
【図１】
2011203524.tif 000003
【図２】
2011203524.tif 000004
【図３】
2011203524.tif 000005
【図４】
2011203524.tif 000006
【図５】
2011203524.tif 000007
【図６】
2011203524.tif 000008
【図７】
2011203524.tif 000009
【図８】
2011203524.tif 000010
【図９】
2011203524.tif 000011